(57)【要約】【課題】使いやすいファインダー光学系およびそのファインダー光学系を用いた撮像装置を提供する。【解決手段】本技術に係るファインダー光学系は、表示素子側からアイポイント側に向かって順に、前記表示素子側から入射した光線束の光線高を高めて前記アイポイント側から出射させる第１のレンズ群と、結像作用を有する第２のレンズ群とから構成される。【選択図】図１
2014115342.tif 000002
【特許請求の範囲】
【請求項１】
表示素子側からアイポイント側に向かって順に、
前記表示素子側から入射した光線束の光線高を高めて前記アイポイント側から出射させる第１のレンズ群と、
結像作用を有する第２のレンズ群と
から構成されるファインダー光学系。
【請求項２】
請求項１に記載のファインダー光学系であって、
前記第１のレンズ群は、
両凹レンズと、
当該両凹レンズのアイポイント側に貼り合わされた両凸レンズと
から構成されるファインダー光学系。
【請求項３】
請求項２に記載のファインダー光学系であって、
前記第１のレンズ群は、
以下の条件式（１）および（２）を満足する
ファインダー光学系。
ＫＨ７／ＫＨ９＞１．６５  …  （１）
ＫＨ７／ＫＨ９＜１．９    …  （２）
但し、
ＫＨ７は前記第１のレンズ群のアイポイント側レンズ面での近軸光線高、
ＫＨ９は前記第１のレンズ群の表示素子側レンズ面での近軸光線高
である。
【請求項４】
請求項３に記載のファインダー光学系であって、
前記第１のレンズ群は、
以下の条件式（３）および（４）を満足する
ファインダー光学系。
ｆ×（−０．１）＜ｆ４５  …  （３）
ｆ×０．７＞ｆ４５        …  （４）
但し、
ｆは全系焦点距離、
ｆ４５は第１のレンズ群の焦点距離
である。
【請求項５】
請求項４に記載のファインダー光学系であって、
前記第１のレンズ群は、
像面湾曲収差の補正を行う
ファインダー光学系。
【請求項６】
請求項４に記載のファインダー光学系であって、
前記第２のレンズ群は、
表示素子側からアイポイント側に向かって順に、
ザイデル収差を補正するプラスチック両面非球面凸レンズと、
両凸レンズと、
色収差を補正する、アイポイント側に凹面を向けた凹メニスカスレンズと
から構成されるファインダー光学系。
【請求項７】
請求項１に記載のファインダー光学系であって、
表示素子側でテレセントリックをなす
ファインダー光学系。
【請求項８】
撮像素子と、
前記撮像素子から得られた信号を画像信号に変換する信号処理部と、
前記画像信号に基づき画像を表示する表示素子と、
前記表示素子側からアイポイント側に向かって順に、前記表示素子側から入射した光線束の光線高を高めて前記アイポイント側から出射させる第１のレンズ群と、結像作用を有する第２のレンズ群とから構成されるファインダー光学系と
を具備する撮像装置。
【発明の詳細な説明】
【技術分野】
【０００１】
本技術は、表示素子の画像表示面を肉眼で観察するファインダー光学系とそれを用いた撮像装置に関する。
【背景技術】
【０００２】
デジタルカメラやビデオカメラなどの電子ビューファインダーに用いられるファインダー光学系の仕様の設計に際して、設計の自由度は一般に少ないものである。例えば、画像を表示する表示素子の大きさが決まっている場合、視野角を決めると焦点距離が一義的に決まる。決まった焦点距離と表示素子から出る光線の射出角とから、その光学系のＦ値も決まってしまう。
【０００３】
従来、ファインダー光学系のレンズ構成としては、画像表示面側から眼側に向かって順に、屈折力が、正、負、正となるトリプレットタイプ、３枚レンズの構成が知られている。（例えば、特許文献１から４参照）。
【先行技術文献】
【特許文献】
【０００４】
【特許文献１】特開２０１０−２６６７７６号公報
【特許文献２】特開２００７−２６４１７９号公報
【特許文献３】特開２００４−２５８６５３号公報
【特許文献４】特開２００２−０８２２９０号公報
【発明の概要】
【発明が解決しようとする課題】
【０００５】
従来の小型液晶を用いたファインダーでは、小さい表示素子と広い視野角という制約から瞳径が非常に小さいことが多く、眼の位置がかなり狭い範囲に制約されるものが多かった。
【０００６】
そして、視野角を広く取ったため、ユーザが表示画面上で視点を大きく移動すると（すなわち眼の回転運動が発生すると）、瞳径の小ささと眼の回転運動との関係で、実使用でのアイレリーフ距離が、仕様上のアイレリーフ距離よりもかなり短く感じられてしまうという問題点があった。
【０００７】
また、通常のファインダーに用いられるレンズ構成では、表示素子の大きさとアイレリーフの長さは、ほぼ比例関係になっており、表示素子が小型であるほど短いアイレリーフとなっていた。そのため、広視野角で設計するほど発生しやすい眼の回転運動により、ケラレ感が大きく見にくいファインダーになることが多かった。
【０００８】
また、ファインダー光学系が表示素子側でテレセントリックになっていないため、表示素子内部のカラーフィルター部と液晶部の距離が離れている事に起因する混色が発生し、色づき・色濁りが見えるファインダーが多かった。表示素子の高解像度化が進むにつれ、画質や光量を均一化するために、ファインダー光学系は画像表示面に対して垂直方向に出射する光線を取り込む必要性が高まり、画像表示面側においてテレセントリックをなすファインダー光学系の必然性が高まってきている。
【０００９】
このように、従来のファインダー光学系には、使いづらさを感じる面があり、その他、様々な面で改善が要求されている。
【００１０】
以上のような事情に鑑み、本技術の目的は、使いやすいファインダー光学系およびそのファインダー光学系を用いた撮像装置を提供することにある。
【課題を解決するための手段】
【００１１】
（１）上記目的を達成するため、本技術の一形態に係るファインダー光学系は、表示素子側からアイポイント側に向かって順に、前記表示素子側から入射した光線束の光線高を高めて前記アイポイント側から出射させる第１のレンズ群と、結像作用を有する第２のレンズ群とから構成される。
【００１２】
本技術では、第１のレンズ群が表示素子から入射した光線束を光軸に対して外側に向けて遷移させ、光線高を高めている。そのため、第１のレンズ群が無い光学系ではアイレリーフが２０ｍｍ程度であるのに対し、第１のレンズ群を持つ本光学系は３５ｍｍ程度の長いアイレリーフを確保することが出来、見やすく、使いやすいファインダー光学系とすることが出来る。
【００１３】
（２）上記目的を達成するため、本技術の一形態に係るファインダー光学系では、前記第１のレンズ群は、両凹レンズと、当該両凹レンズのアイポイント側に貼り合わされた両凸レンズとから構成されることが望ましい。
【００１４】
本技術では、第１のレンズ群を貼り合わせレンズとすることにより、色収差の悪化を防ぐことが出来る。
【００１５】
（３）上記目的を達成するため、本技術の一形態に係るファインダー光学系では、前記第１のレンズ群は、以下の条件式（１）および（２）を満足することが望ましい。
ＫＨ７／ＫＨ９＞１．６５  …  （１）
ＫＨ７／ＫＨ９＜１．９    …  （２）
但し、ＫＨ７は前記第１のレンズ群のアイポイント側レンズ面での近軸光線高、ＫＨ９は前記第１のレンズ群の表示素子側レンズ面での近軸光線高である。
【００１６】
本技術では、第１のレンズ群に入射する光線束の光線高と、第１のレンズ群から出射する光線束の光線高との比（ＫＨ７／ＫＨ９）が、１．６５より大きいと、アイレリーフを十分長く取ることが出来、また視野角を広くすることが出来る。この比が、１．６５と１．９の間にない場合は、非点収差が悪化し本光学系を実用に供することが困難となる。
【００１７】
（４）上記目的を達成するため、本技術の一形態に係るファインダー光学系では、前記第１のレンズ群は、以下の条件式（３）および（４）を満足することが望ましい。
ｆ×（−０．１）＜ｆ４５  …  （３）
ｆ×０．７＞ｆ４５        …  （４）
但し、ｆは全系焦点距離、ｆ４５は第１のレンズ群の焦点距離である。
【００１８】
本技術に係る光学系では、第１のレンズ群の焦点距離と全系の焦点距離との関係が、上記の条件式（３）および（４）を満たすものでない場合、非点収差が悪化し本光学系を実用に供することが困難となる。
【００１９】
（５）上記目的を達成するため、本技術の一形態に係るファインダー光学系では、前記第１のレンズ群は、像面湾曲収差の補正を行うことが望ましい。
【００２０】
（６）上記目的を達成するため、本技術の一形態に係るファインダー光学系では、前記第２のレンズ群は、表示素子側からアイポイント側に向かって順に、ザイデル収差を補正するプラスチック両面非球面凸レンズと、両凸レンズと、色収差を補正する、アイポイント側に凹面を向けた凹メニスカスレンズとから構成されることが望ましい。
【００２１】
本技術では、表示素子側から３枚目のレンズとして、プラスチック両面非球面凸レンズを用いることにより、本光学系を構成するレンズの枚数を削減することが出来、また、光線高を高める第１のレンズ群により悪化するザイデル収差を良好に補正することが出来る。
【００２２】
（７）上記目的を達成するため、本技術の一形態に係るファインダー光学系は、表示素子側でテレセントリックをなすことが望ましい。
【００２３】
本技術では、ファインダー光学系の表示素子側にテレセントリック性を持たせているので、表示素子の画像表示面から垂直に射出される光線束を用いることが出来、画像表示面周辺部の画像における色滲みや色濁りを防いだり、周辺減光を防いだりすることが出来る。
【００２４】
（８）上記目的を達成するため、本技術の一形態に係る撮像装置は、撮像素子と、前記撮像素子から得られた信号を画像信号に変換する信号処理部と、前記画像信号に基づき画像を表示する表示素子と、前記表示素子側からアイポイント側に向かって順に、前記表示素子側から入射した光線束の光線高を高めて前記アイポイント側から出射させる第１のレンズ群と、結像作用を有する第２のレンズ群とから構成されるファインダー光学系とを具備する。
【００２５】
本技術では、ファインダー光学系のアイレリーフが長くなるので、ファインダーを見やすく、使いやすい撮像装置を実現することが出来る。
【発明の効果】
【００２６】
以上のように、本技術によれば、ファインダー光学系およびそのファインダー光学系を用いた撮像装置を使いやすくすることが出来る。
【図面の簡単な説明】
【００２７】
【図１】本技術に係るファインダー光学系を用いた電子ビューファインダーの光軸に沿った断面図である。
【図２】本技術に係るファインダー光学系の光路図である。
【図３】本技術に係るファインダー光学系のコマ収差図である。
【図４】本技術に係るファインダー光学系の球面収差図である。
【図５】本技術に係るファインダー光学系の非点収差図である。
【図６】本技術に係るファインダー光学系の歪曲収差図である。
【図７】本技術に係るファインダー光学系のスポットダイアグラムである。
【図８】本技術に係るファインダー光学系の白色ＭＴＦ特性図である。
【図９】本技術に係るファインダー光学系のデフォーカスＭＴＦ特性図である。
【図１０】本技術に係るファインダー光学系を用いた電子ビューファインダーおよび撮像装置の概略図である。
【発明を実施するための形態】
【００２８】
以下、本技術に係る実施形態を、図面を参照しながら説明する。
［本技術の特徴］
（テレセントリック性）
本技術に係るファインダー光学系は、表示素子から射出された光線を出来る限り有効に使えるよう、表示素子側でテレセントリックをなす光学系である。そのため、ユーザが表示素子周辺部の画像を見る場合でも、表示素子を斜めから覗き込んだ場合に生じる混色による色づき・色濁りが発生しない。また、表示素子から斜め方向に出射する光線が垂直方向に出射する光線よりも弱いことに起因する周辺減光も発生しない。
【００２９】
（大きい瞳径）
また、本技術に係るファインダー光学系では、中心像のＦナンバーだけではなく、周辺部の有効Ｆナンバーも小さく保つようにしたため、従来のファインダー光学系よりも大きな瞳径を確保している。
【００３０】
（長いアイレリーフ）
また、上記のとおり、表示素子側でのテレセントリック性と全画角範囲における小さいＦナンバーとを保ちながらアイレリーフを長くするために、本技術に係るファインダー光学系は表示素子から光学系に入射した光線を一度外側に広げてからアイポイントＥＰ側に誘導する光線経路として設計している。
【００３１】
（全視野の見やすさ）
表示素子側でのテレセントリック性、大きい瞳径、そして長いアイレリーフをもつ光学系としたことにより、本光学系では、眼の位置を設計基準位置からかなり離しても全視野を見ることが出来る。
【００３２】
そのため、メガネやゴーグル等の使用時にも全視野が見やすいので、眼をファインダーから少し離した状態で使われることが多いプロフェッショナル用途の機器に適したファインダー光学系となっている。
【００３３】
［レンズ構成の概要について］
図１に、本技術に係るファインダー光学系を用いた電子ビューファインダーの光軸に沿った断面図を示す。
【００３４】
図の左端に、眼（アイポイント）ＥＰの位置があり、図の右端に、表示素子の画像表示面ＤＳがある。SnはアイポイントＥＰ側から数えたｎ番目の面を表し、LnはアイポイントＥＰ側から数えたｎ番目のレンズを表し、DnはアイポイントＥＰ側から数えたｎ番目の面間距離を表す。なお、ファインダー光学系はアフォーカルであるが、通常の結像光学系と同様に扱うために、光線の進行方向とは逆にアイポイントＥＰ側から番号を振ることとする。
【００３５】
本技術に係るファインダー光学系は、４群５枚のレンズからなる光学系であり、表示素子側でテレセントリックをなす光学設計となっている。
【００３６】
レンズ構成は、アイポイントＥＰ側から順に、
（１）アイポイントＥＰ側に凹面を向けた凹メニスカスレンズＬ１
（２）両凸レンズＬ２
（３）プラスチック製両面非球面凸レンズＬ３
（４）両凸レンズＬ４
（５）両凹レンズＬ５
（６）表示素子の画像表示面ＤＳ（像面）
となる。
【００３７】
両凸レンズＬ４および両凹レンズＬ５は、貼り合わされ、２枚貼り合わせレンズ群Ｌ４５（第１のレンズ群）となっている。この２枚貼り合わせレンズ群Ｌ４５は、ほとんどパワーの無い厚い肉厚のメニスカス群であり、表示素子の画像表示面ＤＳから入射した光線の周辺像高を高い光線高に遷移させる役割と、像面湾曲収差を補正する役割とを持つ。
【００３８】
表示素子の画像表示面ＤＳ上の周辺像から垂直に射出された光線束は、両凹レンズＬ５の表示素子側の面Ｓ９において大きく外側に曲げられ、厚さのある２枚貼り合わせレンズ群Ｌ４５を通る間に光軸から離れ大きく外側に遷移する。そして、光線束は２枚貼り合わせレンズ群Ｌ４５のアイポイントＥＰ側の面Ｓ７を出る時には、高い光線高を通るほぼアフォーカルな光束となる。
【００３９】
このように、光線高を大きく変化させることで、アイレリーフを長くしながら大きな瞳径とする設計を可能としている。なお、本光学系の表示素子側にテレセントリック性を持たせることに主に寄与しているのも、この２枚貼り合わせレンズ群Ｌ４５である。
【００４０】
凹メニスカスレンズＬ１、両凸レンズＬ２、およびプラスチック製両面非球面凸レンズＬ３からなるレンズ群（第２のレンズ群）は、メインレンズとも言うべきレンズ群であり、主に収差補正と結像作用の役割を担っている。
【００４１】
プラスチック製両面非球面凸レンズＬ３は、レンズ面Ｓ５およびＳ６を非球面とすることにより、２枚貼り合わせレンズ群Ｌ４５が光線高を大きく変化させることにより増大する、球面収差、コマ収差、およびディストーションの低減を図っている。
【００４２】
両凸レンズＬ２およびプラスチック製両面非球面凸レンズＬ３は、大きな凸のパワーを持ち、結像作用の主役となっている。また、両凸レンズＬ２およびプラスチック製両面非球面凸レンズＬ３のパワーは、ほぼ等しくなっており、相互の偏心公差を広げるのに役立っている。
【００４３】
凹メニスカスレンズＬ１は色収差を補正する役割を担っている。
【００４４】
［成立条件について］
本技術にかかるファインダー光学系の成立条件は、以下のとおりである。
まず、最も重要な条件は、以下の条件式（１）および（２）である。
ＫＨ７／ＫＨ９＞１．６５  …  （１）
ＫＨ７／ＫＨ９＜１．９    …  （２）
【００４５】
但し、ＫＨ７は２枚貼り合わせレンズ群Ｌ４５（第１のレンズ群）のアイポイントＥＰ側レンズ面Ｓ７での近軸光線高であり、ＫＨ９は２枚貼り合わせレンズ群Ｌ４５（第１のレンズ群）の画像表示面側レンズ面Ｓ９での近軸光線高である。
【００４６】
２枚貼り合わせレンズ群Ｌ４５への入射時の近軸光線高ＫＨ９と射出時の近軸光線高ＫＨ７の比を定める条件式（１）の条件は、広い視野角と長いアイレリーフを実現するために極めて有効な条件である。
【００４７】
なお、ＫＨ７とＫＨ９の比が条件式（１）の条件である１．６５を下回ると、非点収差のサジタル側がアイポイントＥＰ側に大きく倒れ実用困難となる。また、ＫＨ７とＫＨ９の比が条件式（２）の条件である１．９を上回ると、非点収差のメリディオナル側がアイポイントＥＰ側に大きく倒れ実用困難となる。
【００４８】
次に重要な条件は、以下の条件式（３）および（４）である。
ｆ×（−０．１）＜ｆ４５  …  （３）
ｆ×０．７＞ｆ４５        …  （４）
但し、ｆは全系焦点距離であり、ｆ４５は２枚貼り合わせレンズ群Ｌ４５の焦点距離である。
【００４９】
ここで、２枚貼り合わせレンズ群Ｌ４５の焦点距離ｆ４５が全系焦点距離ｆの−０．１倍を下回ると、非点収差のメリディオナル側がアイポイントＥＰ側に大きく倒れ実用困難となる。また、２枚貼り合わせレンズ群Ｌ４５の焦点距離ｆ４５が全系焦点距離ｆの０．７倍を上回ると、非点収差のサジタル側がアイポイントＥＰ側に大きく倒れ実用困難となる。
【００５０】
［レンズ面データについて］
ここでは、レンズ面データの具体的な数値実施例を挙げる。なお、上記のとおり、本光学系を通常の結像光学系と同様に扱うために、光線の進行方向とは逆にアイポイントＥＰ側から面番号等を書く。
【００５１】
なお、Rは各レンズ面（光学面）の曲率半径、Dはレンズ面の光軸上での間隔、Ndは各レンズ（光学媒質）のｄ線（５８７．６ｎｍ）に対する屈折率、Vdは各レンズ（光学媒質）のｄ線のアッベ数を表している。
【００５２】
また、KHは入射時の高さを１とする近軸光線高を表す。曲率半径R、面間隔D、近軸光線高KH、半径の単位はいずれもミリメートル（ｍｍ）である。
【００５３】
レンズ面データ中、面番号の右側に付されたアスタリスク「*」は、そのレンズ面が非球面形状であることを示している。
【００５４】
（面データ）
面番号   R        D     Nd     Vd     KH   半径    備考
0        ∞      28.1   −     −           5      眼の位置ＥＰ
1     -16.380     2.0  1.673  32.20  1.00  11.30   凹メニスカスレンズ
2     -40.040     0.5   −     −    1.05  11.40
3     100.600    10.0  1.487  70.45  1.06  13.20   両凸レンズ
4     -29.100     0.5   −     −    1.18  15.00
5*    199.096     9.7  1.531  55.80  1.18  16.20   プラスチック非球面レンズ
6*    -28.701     2.5   −     −    1.15  17.10
7      26.850    10.8  1.773  49.62  1.09  14.50   両凸レンズ
8     -76.800     3.5  1.698  30.05  0.74  10.90   両凹レンズ
9      16.100    19.2   −     −    0.62   9.70
10      −        1.0  1.516  64.20  0.13   9.00   カバーガラス
11      −        0.0   −     −    0.00   9.00   表示素子の画像表示面ＤＳ
【００５５】
（非球面データ）
非球面式  
サグ量＝((1/R)×H2)/(1+sqr(1-(1/R)2×H2))+A4×H4+A6×H6+A8×H8
【００５６】
非球面係数（５面）
４次(A4)    -6.18E-06
６次(A6)    -1.73E-09
８次(A8)    -1.14E-11
非球面係数（６面）
４次(A4)    8.09E-06
６次(A6)    -7.99E-10
【００５７】
但し、非球面式のサグ量は、レンズ面と光軸の交点を含む光軸と直交する平面を基準に、光軸からの距離Hに対する平面からレンズ面までの距離である。記号「sqr」は平方根演算を表す。また、Rは上記のとおり曲率半径、A4、A6、A8はそれぞれ４次、６次、８次の非球面係数である。
【００５８】
記号「Ｅ」は、それに続く数値が10を底にもつ、べき指数であることを示している。例えば「-6.18E-06」は「-6.18×10-6」を意味している。
【００５９】
（その他データ）
最大像高：9mm
全系焦点距離：32mm
瞳径：φ10mm
【００６０】
［本技術による効果について］
ここでは、改めて、本技術が奏する効果についてまとめて記載しておく。
（１）通常のトリプレット構成の場合アイレリーフが２０ｍｍ程度であるのに対し、本技術に係るファインダー光学系は、約３５ｍｍと極めて長い。また、画像中心部に対する瞳径だけでなく周辺部の瞳径も中心部と同様の大きさに出来る。そのため、眼の位置が動いても良好な画質を保つことが出来る。
（２）本技術に係るファインダー光学系は、広視野角とする設計仕様にも拘わらず、周辺部まで倍率色収差、コマ収差、ディストーションなど諸収差が少ない良好な画質を持つことが出来る。
（３）本技術に係るファインダー光学系は、表示素子側でテレセントリック性に優れるため、表示素子の画像表示面ＤＳ全域に対して真上から見ているのと同じことになり、表示素子の角度依存性の影響を受けない。それ故、本技術に係るファインダー光学系は、画像表示面の周辺部まで均一な明るさであるとともに、周辺部まで均一な色調を保つことが出来る。
【００６１】
［光路図および収差図等について］
ここでは、光路図や収差図等について説明する。なお、本光学系はアフォーカル系であるが、通常の結像光学系と同様に扱うために、収差図では光線の進行方向を逆にして、表示素子の画像表示面ＤＳを像面として扱っている。
【００６２】
図２は、本技術に係るファインダー光学系の光路図である。
【００６３】
図３は、コマ収差図であり、作図スケールは±０．０２ｍｍである。図の左側がメリディオナル面であり、右側がサジタル面である。図の上から順に像高９ｍｍ、７ｍｍ、５ｍｍ、０ｍｍの収差であり、実線はｅ線、点線はＣ線、一点鎖線はＦ線、二点鎖線はｄ線を表す。
【００６４】
図４は、球面収差図であり、縦軸は光線高、横軸は光軸方向の距離である。作図スケールは±０．０２ｍｍである。実線はｅ線、点線はＣ線、一点鎖線はＦ線、二点鎖線はｄ線を表す。
【００６５】
図５は、非点収差図であり、縦軸は像高、横軸はピントずれ量である。作図スケールは±０．５ｍｍである。点線（Ｍ）はメリディオナル方向、実線（Ｓ）はサジタル方向を表す。この図から、非点収差が±０．１ｍｍ以内に収まっており、高次補正されていることがわかる。
【００６６】
図６は、歪曲収差図であり、縦軸は像高、横軸は像のひずみ量である。作図スケールは±０．５％である。
【００６７】
図７は、スポットダイアグラムであり、作図スケールは、十字の中央から端までが０．１ｍｍである。左下の図が像高０ｍｍ、左上の図が像高５ｍｍ、右下の図が像高７ｍｍ、右上の図が像高９ｍｍのものである。
【００６８】
図８は、白色ＭＴＦ（Modulation Transfer Function）特性図であり、縦軸はコントラスト（モジュレーション）、横軸は空間周波数である。最大周波数は４０１ｐ／ｍｍである。左下の図が像高０ｍｍ、左上の図が像高５ｍｍ、右下の図が像高７ｍｍ、右上の図が像高９ｍｍのものである。
【００６９】
図９は、デフォーカスＭＴＦ特性図であり、縦軸はコントラスト（モジュレーション）、横軸はフォーカスシフト位置である。デフォーカス幅は±０．２ｍｍである。左下の図が像高０ｍｍ、左上の図が像高５ｍｍ、右下の図が像高７ｍｍ、右上の図が像高９ｍｍのものである。
【００７０】
［撮像装置の概略について］
ここでは、本技術に係るファインダー光学系を用いた電子ビューファインダーおよび撮像装置の概略を説明する。図１０は、本技術に係るファインダー光学系１を用いた電子ビューファインダー１２および撮像装置１０の概略図である。
【００７１】
撮像装置１０には、撮影部１１と、電子ビューファインダー１２のみを示す。撮影部１１は、例えば、ＣＣＤ撮像素子やＣＭＯＳ撮像素子等の撮像素子１３と、信号処理部１４とから構成される。電子ビューファインダー１２は、画像表示素子１７と、ファインダー光学系１とから構成される。
【００７２】
撮像光学系（図示せず）を通過した入射光は、撮像素子１３の受光面上に結像する。撮像素子１３の受光により得られた信号は、信号処理部１４により、画像信号１５に変換される。そして画像信号１５は、電子ビューファインダー１２に送られ、ドライバ１６を介して、例えば液晶ディスプレイパネル等の画像表示素子１７に映し出される。
【００７３】
ユーザは、画像が映し出された画像表示素子１７の画像表示面ＤＳを、ファインダー光学系１を介してアイポイントＥＰ側から見ることにより、適切な大きさに調整された画像表示面ＤＳの画像を見ることができる。
【００７４】
撮像装置１０の電子ビューファインダー１２において、ファインダー光学系１は、光線高を高める第１のレンズ群と、結像作用を持つ第２のレンズ群とから構成される。そのため、本技術に係る電子ビューファインダー１２は、視野角を大きく取りつつ、大きな瞳径と長いアイレリーフを確保できるので、見やすいビューファインダーとなる。
【００７５】
［補足事項］
その他、本技術は、上述の実施形態にのみ限定されるものではなく、本技術の要旨を逸脱しない範囲内において種々変更を加え得ることは勿論である。
【００７６】
［本技術の別の構成］
なお、本技術は以下のような構成も採ることができる。
（１）
表示素子側からアイポイント側に向かって順に、
前記表示素子側から入射した光線束の光線高を高めて前記アイポイント側から出射させる第１のレンズ群と、
結像作用を有する第２のレンズ群と
から構成されるファインダー光学系。
（２）
前記（１）に記載のファインダー光学系であって、
前記第１のレンズ群は、
両凹レンズと、
当該両凹レンズのアイポイント側に貼り合わされた両凸レンズと
から構成されるファインダー光学系。
（３）
前記（１）または（２）に記載のファインダー光学系であって、
前記第１のレンズ群は、
以下の条件式（１）および（２）を満足する
ファインダー光学系。
ＫＨ７／ＫＨ９＞１．６５  …  （１）
ＫＨ７／ＫＨ９＜１．９    …  （２）
但し、
ＫＨ７は前記第１のレンズ群のアイポイント側レンズ面での近軸光線高、
ＫＨ９は前記第１のレンズ群の表示素子側レンズ面での近軸光線高
である。
（４）
前記（１）から（３）のうちいずれか１つに記載のファインダー光学系であって、
前記第１のレンズ群は、
以下の条件式（３）および（４）を満足する
ファインダー光学系。
ｆ×（−０．１）＜ｆ４５  …  （３）
ｆ×０．７＞ｆ４５        …  （４）
但し、
ｆは全系焦点距離、
ｆ４５は第１のレンズ群の焦点距離
である。
（５）
前記（１）から（４）のうちいずれか１つに記載のファインダー光学系であって、
前記第１のレンズ群は、
像面湾曲収差の補正を行う
ファインダー光学系。
（６）
前記（１）から（５）のうちいずれか１つに記載のファインダー光学系であって、
前記第２のレンズ群は、
表示素子側からアイポイント側に向かって順に、
ザイデル収差を補正するプラスチック両面非球面凸レンズと、
両凸レンズと、
色収差を補正する、アイポイント側に凹面を向けた凹メニスカスレンズと
から構成されるファインダー光学系。
（７）
前記（１）から（６）のうちいずれか１つに記載のファインダー光学系であって、
表示素子側でテレセントリックをなす
ファインダー光学系。
（８）
撮像素子と、
前記撮像素子から得られた信号を画像信号に変換する信号処理部と、
前記画像信号に基づき画像を表示する表示素子と、
前記表示素子側からアイポイント側に向かって順に、前記表示素子側から入射した光線束の光線高を高めて前記アイポイント側から出射させる第１のレンズ群と、結像作用を有する第２のレンズ群とから構成されるファインダー光学系と
を具備する撮像装置。
【符号の説明】
【００７７】
ＤＳ  …画像表示面
ＥＰ  …アイポイント
Ｌ１〜Ｌ５  …レンズ
１  …ファインダー光学系
１０  …撮像装置
１１  …撮影部
１２  …電子ビューファインダー
１３  …撮像素子
１４  …信号処理部
１５  …画像信号
１６  …ドライバ
１７  …画像表示素子
【図１】
2014115342.tif 000003
【図２】
2014115342.tif 000004
【図３】
2014115342.tif 000005
【図４】
2014115342.tif 000006
【図５】
2014115342.tif 000007
【図６】
2014115342.tif 000008
【図８】
2014115342.tif 000009
【図９】
2014115342.tif 000010
【図１０】
2014115342.tif 000011
【図７】
2014115342.tif 000012